(57)【特許請求の範囲】
【請求項１】
コンテンツ情報および当該コンテンツ情報の識別情報を記憶する第１の記憶装置と、
前記第１の記憶装置が設定されている以外の場所に設定されており、コンテンツ情報および当該コンテンツ情報の識別情報を記憶する第２の記憶装置と、
の間でコンテンツ情報を転送する情報転送システムであって、
コンテンツ情報の転送指令を受け付ける受付手段と、
前記第１の記憶装置のコンテンツ情報を前記第２の記憶装置に転送する転送指令を受け付けた場合および前記第２の記憶装置のコンテンツ情報を前記第１の記憶装置に転送する転送指令を受け付けた場合のいずれの場合においても、コンテンツ情報とともに当該コンテンツ情報の識別情報も転送する転送手段と、
を備え、
転送先である前記第１の記憶装置又は前記第１の記憶装置は、転送された前記識別情報と同一の識別情報を記憶しているか否かを判断し、記憶していないと判断された場合に前記転送されたコンテンツを記憶することを特徴とする情報転送システム。
【請求項２】
コンテンツ情報および当該コンテンツ情報の識別情報を記憶する第１の記憶装置を備えた携帯型情報処理装置であって、
前記第１の記憶装置以外の場所に設定されており、コンテンツ情報および当該コンテンツ情報の識別情報を記憶する第２の記憶装置が、コンテンツ情報の転送指令を受けて、コンテンツおよび当該コンテンツの識別情報を前記第１の記憶装置に転送した場合において、
前記第１記憶装置は、前記転送された識別情報と同一の識別情報が、前記第１記憶装置に存在するか否かを判断し、存在しないと判断された場合に前記転送されたコンテンツを前記第１記憶装置に記憶する、
ことを特徴とする携帯型情報処理装置。
【請求項３】
コンテンツ情報および当該コンテンツ情報の識別情報を記憶する第１の記憶装置と、
前記第１の記憶装置が設定されている以外の場所に設定されており、コンテンツ情報および当該コンテンツ情報の識別情報を記憶する第２の記憶装置と、
の間でコンテンツ情報を転送する情報転送方法であって、
コンテンツ情報の転送指令を受け付ける受付工程と、
前記第１の記憶装置のコンテンツ情報を前記第２の記憶装置に転送する転送指令を受け付けた場合および前記第２の記憶装置のコンテンツ情報を前記第１の記憶装置に転送する転送指令を受け付けた場合のいずれの場合においても、コンテンツ情報とともに当該コンテンツ情報の識別情報も転送する転送工程と、
転送先である前記第１の記憶装置又は前記第１の記憶装置は、転送された前記識別情報と同一の識別情報を記憶しているか否かを判断し、記憶していないと判断された場合に前記転送されたコンテンツを記憶する記憶工程を含むことを特徴とする情報転送方法。
【請求項４】
請求項３に記載の情報転送方法をコンピュータに実行させることを特徴とする情報転送プログラム。
【請求項５】
請求項４に記載の情報転送プログラムを記録したことを特徴とするコンピュータに読み取り可能な記録媒体。
【発明の詳細な説明】
【技術分野】
【０００１】
この発明は、コンテンツ情報を転送する情報転送装置、情報転送方法、情報転送プログラムおよびコンピュータに読み取り可能な記録媒体に関する。
【背景技術】
【０００２】
従来、コンテンツ情報を転送する情報転送装置は、親機と子機との間で認証登録をおこない、認証登録がなされている装置間においてコンテンツ情報の転送をおこなう。この際、情報転送装置は、親機内の記憶媒体に記憶されたコンテンツ情報のうち未転送識別子が付されているコンテンツ情報を所定のタイミングに基づいて子機に転送する（たとえば、下記特許文献１参照。）。
【０００３】
【特許文献１】特開２００４−３５５４４４号公報
【発明の開示】
【発明が解決しようとする課題】
【０００４】
しかしながら、上記従来技術によれば、親機から転送されたコンテンツ情報にはコンテンツ情報を識別する識別情報が含まれていないため、子機は、親機から転送されたコンテンツ情報の中に子機の記憶媒体に記憶されているコンテンツ情報がある場合においても、再度同一のコンテンツ情報を記憶するという問題が一例として挙げられる。
【課題を解決するための手段】
【０００５】
上述した課題を解決し、目的を達成するため、請求項１の発明にかかる情報転送システムは、コンテンツ情報および当該コンテンツ情報の識別情報を記憶する第１の記憶装置と、前記第１の記憶装置が設定されている以外の場所に設定されており、コンテンツ情報および当該コンテンツ情報の識別情報を記憶する第２の記憶装置と、の間でコンテンツ情報を転送する情報転送システムであって、コンテンツ情報の転送指令を受け付ける受付手段と、前記第１の記憶装置のコンテンツ情報を前記第２の記憶装置に転送する転送指令を受け付けた場合および前記第２の記憶装置のコンテンツ情報を前記第１の記憶装置に転送する転送指令を受け付けた場合のいずれの場合においても、コンテンツ情報とともに当該コンテンツ情報の識別情報も転送する転送手段と、を備え、転送先である前記第１の記憶装置又は前記第１の記憶装置は、転送された前記識別情報と同一の識別情報を記憶しているか否かを判断し、記憶していないと判断された場合に前記転送されたコンテンツを記憶することを特徴とする。
【０００６】
また、請求項３の発明にかかる情報転送方法は、コンテンツ情報および当該コンテンツ情報の識別情報を記憶する第１の記憶装置と、前記第１の記憶装置が設定されている以外の場所に設定されており、コンテンツ情報および当該コンテンツ情報の識別情報を記憶する第２の記憶装置と、の間でコンテンツ情報を転送する情報転送方法であって、コンテンツ情報の転送指令を受け付ける受付工程と、前記第１の記憶装置のコンテンツ情報を前記第２の記憶装置に転送する転送指令を受け付けた場合および前記第２の記憶装置のコンテンツ情報を前記第１の記憶装置に転送する転送指令を受け付けた場合のいずれの場合においても、コンテンツ情報とともに当該コンテンツ情報の識別情報も転送する転送工程と、転送先である前記第１の記憶装置又は前記第１の記憶装置は、転送された前記識別情報と同一の識別情報を記憶しているか否かを判断し、記憶していないと判断された場合に前記転送されたコンテンツを記憶する記憶工程を含むことを特徴とする。
【０００７】
また、請求項４の発明にかかる情報転送プログラムは、請求項３に記載の情報転送方法をコンピュータに実行させることを特徴とする。
【０００８】
また、請求項５の発明にかかるコンピュータに読み取り可能な記録媒体は、請求項４に記載の情報転送プログラムを記録したことを特徴とする。
【発明を実施するための最良の形態】
【０００９】
以下に添付図面を参照して、この発明にかかる情報転送装置、情報転送方法、情報転送プログラムおよびコンピュータに読み取り可能な記録媒体の好適な実施の形態を詳細に説明する。
【００１０】
（実施の形態）
（情報転送装置の機能的構成）
図１を用いて、この発明にかかる情報転送装置の機能的構成について説明する。図１は、本実施の形態にかかる情報転送装置の機能的構成の一例を示すブロック図である。
【００１１】
図１において、情報転送装置１００は、受付部１０１と、転送部１０２と、を含み構成されている。
【００１２】
受付部１０１は、第１の記憶装置を備える携帯型情報処理装置が第２の記憶装置を備える情報転送装置１００に接続可能な機器に装着されている場合に、コンテンツ情報の転送指令を受け付ける。受付部１０１は、第１の記憶装置のコンテンツ情報を第２の記憶装置に転送する転送指令、および第２の記憶装置のコンテンツ情報を第１の記憶装置に転送する転送指令を受け付ける。コンテンツ情報は、たとえば、楽曲に関する楽曲情報や、映画やＴＶ番組に関する情報である。
【００１３】
転送部１０２は、第１の記憶装置のコンテンツ情報を第２の記憶装置に転送する転送指令を受け付けた場合、および第２の記憶装置のコンテンツ情報を第１の記憶装置に転送する転送指令を受け付けた場合のいずれの場合においても、コンテンツ情報とともにコンテンツ情報の識別情報もあわせて転送する。識別情報は、各コンテンツ情報に固有の情報であり、あらかじめ設定されている。
【００１４】
（情報転送装置１００の処理の内容）
つぎに、図２を用いて、本実施の形態にかかる情報転送装置１００の処理の内容について説明する。図２は、本実施の形態にかかる情報転送装置の処理の内容を示すフローチャートである。図２のフローチャートにおいて、まず、情報転送装置１００は、動作の開始要求を受け付けたか否かを判断する（ステップＳ２０１）。動作の開始要求は、利用者によって第１の記憶装置を備える携帯型情報処理装置が第２の記憶装置を備える情報転送装置１００に接続可能な機器に装着されることによりおこなわれる。
【００１５】
ステップＳ２０１において、動作の開始要求を受け付けるまで待って（ステップＳ２０１：Ｎｏのループ）、受け付けた場合（ステップＳ２０１：Ｙｅｓ）、受付部１０１は、コンテンツ情報の転送指令を受け付ける（ステップＳ２０２）。受付部１０１は、第１の記憶装置のコンテンツ情報を第２の記憶装置に転送する転送指令、および第２の記憶装置のコンテンツ情報を第１の記憶装置に転送する転送指令を受け付ける。コンテンツ情報の転送指令は、利用者が図示しない操作部を操作して指示入力をおこなうことによりおこなわれる。コンテンツ情報は、たとえば、楽曲に関する楽曲情報や、映画やＴＶ番組に関する情報である。
【００１６】
ステップＳ２０２において、第１の記憶装置のコンテンツ情報を第２の記憶装置に転送する転送指令を受け付けた場合、および第２の記憶装置のコンテンツ情報を第１の記憶装置に転送する転送指令を受け付けた場合のいずれの場合においても、転送部１０２は、コンテンツ情報を識別情報とあわせて転送する（ステップＳ２０３）。識別情報は、各コンテンツ情報に固有の情報であり、あらかじめ設定されている。
【００１７】
以上説明したように、本実施の形態によれば、情報転送装置は、第１の記憶装置を備える携帯型情報処理装置が第２の記憶装置を備える情報転送装置に接続可能な機器に装着されている場合に、コンテンツ情報の転送指令を受け付ける。そして、情報転送装置は、コンテンツ情報を識別情報とあわせて転送する。したがって、携帯型情報処理装置は、情報転送装置から転送されたコンテンツ情報の識別情報に基づいて、情報転送装置から転送されたコンテンツ情報のうち携帯型情報処理装置の記憶媒体に既に記憶されているコンテンツ情報を再度記憶するのを防ぐことができる。
【実施例】
【００１８】
以下に、本発明の実施例について説明する。本実施例では、第１の記憶装置を備える携帯型情報処理装置をブレインユニットとして、また、第２の記憶装置を備える情報転送装置をパーソナルコンピュータとした場合に、パーソナルコンピュータがリビングキットを介してブレインユニットとの間で楽曲情報を転送する情報転送システムの一例について説明する。また、ブレインユニットは、車両（四輪車、二輪車を含む）などの移動体に搭載されるナビゲーション装置、および自宅に設置される室内機器であるリビングキットと接続可能である。また、リビングキットは、有線または無線によってパーソナルコンピュータと接続可能である。
【００１９】
（情報転送システムの全体構成）
図３を用いて、本実施例にかかる情報転送システムの全体構成の概要について説明する。図３は、本実施例にかかる情報転送システムの全体構成の概要を示す図である。図３において、情報転送システム３００は、パーソナルコンピュータ３０１と、ブレインユニット３０２と、ナビゲーション装置３０３と、リビングキット３０４と、によって構成されている。
【００２０】
パーソナルコンピュータ３０１は、有線または無線によりリビングキット３０４と接続可能である。パーソナルコンピュータ３０１は、ブレインユニット３０２がリビングキット３０４に接続された場合、リビングキット３０４を介してブレインユニット３０２との間で楽曲情報や地図情報など各種情報の転送をおこなう。具体的には、たとえば、パーソナルコンピュータ３０１は、パーソナルコンピュータ３０１の記録媒体に記録されている楽曲情報のうちユーザにより選択された楽曲情報を識別情報とあわせてリビングキット３０４を介してブレインユニット３０２に転送する。識別情報は、各楽曲情報に固有の情報であり、たとえば、ＴＯＣ（Ｔａｂｌｅ  Ｏｆ  Ｃｏｎｔｅｎｔｓ）、ＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）、またはＩＤ３タグなどに関する情報である。
【００２１】
ブレインユニット３０２は、ナビゲーション装置３０３、およびリビングキット３０４に接続可能である。ブレインユニット３０２は、矩形状の筺体で構成され、背面にはコネクタからなる接続手段が設けられている（不図示）。このコネクタには接続している機器から各種情報を取得するための各種Ｉ／Ｆ（Ｉｎｔｅｒｆａｃｅ）が設けられている。このブレインユニット３０２の前面には、各種Ｉ／Ｆと開口形成されたカードスロット３０２ａが設けられている。
【００２２】
ブレインユニット３０２は、ナビゲーション装置３０３に接続された場合、ナビゲーション装置３０３の記録媒体として楽曲情報や地図情報など各種情報を記録する。また、ブレインユニット３０２は、リビングキット３０４に接続された場合、パーソナルコンピュータ３０１との間で楽曲情報や地図情報の転送をおこなう。ブレインユニット３０２は、パーソナルコンピュータ３０１に楽曲情報を転送する際に、各楽曲情報の識別情報を楽曲情報とあわせて転送する。
【００２３】
ナビゲーション装置３０３は、本体３０３ａと、ディスプレイ３０３ｂと、を有している。本体３０３ａには、ブレインユニット３０２を装着可能な装着用スロット３０３ｃが設けられている。この装着用スロット３０３ｃの内部には、ブレインユニット３０２の接続手段を構成するコネクタに対応して接続用のコネクタが設けられている（不図示）。
【００２４】
ナビゲーション装置３０３は、楽曲情報や地図情報を受信する。また、受信された楽曲情報や地図情報は、ブレインユニット３０２の記録媒体に記録される。また、ナビゲーション装置３０３は、光ディスクに記録されている楽曲情報を光ディスクドライブにより読み込み、読み込んだ楽曲情報をブレインユニット３０２の記録媒体に記録する。
【００２５】
リビングキット３０４は、有線または無線によりパーソナルコンピュータ３０１と接続可能である。また、リビングキット３０４には、ブレインユニット３０２を装着可能な装着用スロット３０４ａが設けられている。この装着用スロット３０４ａの内部には、ブレインユニット３０２の接続手段を構成するコネクタに対応して接続用のコネクタが設けられている（不図示）。また、リビングキット３０４は、ホルダ３０４ｂを用いて縦置きに配置したり、不図示であるが横置きに配置したりすることができる。また、リビングキット３０４は、リモコン３０４ｄを有し、ユーザはリモコン３０４ｄによってリビングキット３０４の各種操作をおこなうことができる。
【００２６】
リビングキット３０４は、ブレインユニット３０２が装着された場合、パーソナルコンピュータ３０１から転送された楽曲情報や地図情報など各種情報をブレインユニット３０２の記録媒体に記録する。また、リビングキット３０４は、ブレインユニット３０２が装着された場合、ブレインユニット３０２の記録媒体に記録されている楽曲情報や地図情報など各種情報をパーソナルコンピュータ３０１の記録媒体に転送する。
【００２７】
つぎに、図４および図５を用いて、本実施例にかかるパーソナルコンピュータ３０１、ブレインユニット３０２、ナビゲーション装置３０３、およびリビングキット３０４のハードウェア構成について説明する。図４は、本実施例にかかるパーソナルコンピュータがブレインユニットを装着したリビングキットに接続された場合の情報転送システムの内部構成の一例を示すブロック図である。また、図５は、本実施例にかかるブレインユニットがナビゲーション装置に装着された場合の情報転送システムの内部構成の一例を示すブロック図である。
【００２８】
（パーソナルコンピュータ３０１のハードウェア構成）
図４において、パーソナルコンピュータ３０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、通信Ｉ／Ｆ４０８と、外部Ｉ／Ｆ４０９と、音声Ｉ／Ｆ４１０と、スピーカ４１１と、入力Ｉ／Ｆ４１２と、入力デバイス４１３と、映像Ｉ／Ｆ４１４と、ディスプレイ４１５と、を備えている。また、各構成部４０１〜４１５はバス４２０によってそれぞれ接続されている。
【００２９】
ＣＰＵ４０１は、パーソナルコンピュータ３０１全体の制御を司る。ＲＯＭ４０２は、楽曲検索プログラム、楽曲転送プログラム、通信プログラム、データベース作成プログラム、データ解析プログラムなどのプログラムを記録している。また、ＲＡＭ４０３は、ＣＰＵ４０１のワークエリアとして使用される。
【００３０】
楽曲検索プログラムは、楽曲データに含まれるＴＯＣ情報を利用して、ＴＯＣ（Ｔａｂｌｅ  Ｏｆ  Ｃｏｎｔｅｎｔｓ）情報に含まれていないアーティスト名、ジャンル、アルバムタイトルおよびトラックタイトルなどの情報をＣＤＤＢ（Ｃｏｍｐａｃｔ  Ｄｉｓｋ  Ｄａｔａ  Ｂａｓｅ）から検索してＴＯＣ情報と関連付けてＨＤなどの磁気ディスク４０５に記録させる。ＴＯＣ情報は、音楽ＣＤの内周側のリードイン領域に書き込まれており、楽曲のトラック数、各トラックの開始アドレスおよび各トラックごとの演奏時間などのデータが含まれている。ＣＤＤＢは、磁気ディスク４０５に記録されており、音楽ＣＤに収録された楽曲データを検索・認識する際に用いられる。
【００３１】
楽曲転送プログラムは、磁気ディスク４０５に記録されている楽曲情報のうちユーザに選択された楽曲情報をリビングキット３０４を介してブレインユニット３０２に転送させる。この際、楽曲転送プログラムは、各楽曲情報に固有の識別情報を各楽曲情報とあわせて転送させる。識別情報は、たとえば、ＴＯＣ、ＩＳＲＣ、またはＩＤ３タグなどに関する情報である。
【００３２】
また、ＣＰＵ４０１は、ブレインユニット３０２がリビングキット３０４に装着された場合、磁気ディスク４０５に記録されている楽曲情報のうちリビングキット３０４を介してブレインユニット３０２に転送する楽曲情報をユーザに選択させる。そして、ユーザの操作により後述する転送ボタンがクリックされた場合、ＣＰＵ４０１は、ユーザにより選択された楽曲情報に識別情報をあわせてブレインユニット３０２に転送する。
【００３３】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤを用いることができる。磁気ディスク４０５に記録される情報の一例として、楽曲情報を配信するサーバなどから受信した楽曲情報やＣＤＤＢなどが挙げられる。
【００３４】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。また、この着脱可能な記録媒体として、光ディスク４０７のほか、ＭＯ、メモリカードなどであってもよい。
【００３５】
なお、本実施例では楽曲情報や地図情報などを磁気ディスク４０５に記録するようにしたが、これに限るものではない。たとえば、楽曲情報や地図情報は、パーソナルコンピュータ３０１のハードウェアと一体に設けられているものに限って記録されているものではなく、パーソナルコンピュータ３０１の外部に設けられていてもよい。その場合、パーソナルコンピュータ３０１は、たとえば、通信Ｉ／Ｆ４０８を通じて、ネットワークを介して楽曲情報や地図情報を取得する。取得された楽曲情報や地図情報はＲＡＭ４０３などに記録される。
【００３６】
通信Ｉ／Ｆ４０８は、無線を介してネットワークに接続され、パーソナルコンピュータ３０１とＣＰＵ４０１とのインターフェースとして機能する。また、通信Ｉ／Ｆ４０８は、無線を介してインターネットなどの通信網に接続され、この通信網とＣＰＵ４０１とのインターフェースとしても機能する。通信網には、ＬＡＮ、ＷＡＮ、公衆回線網や携帯電話網などがある。通信Ｉ／Ｆ４０８は、楽曲情報を配信するサーバなどから楽曲情報を受信する。
【００３７】
外部Ｉ／Ｆ４０９は、ＵＳＢ、ＩＥＥＥ１３９４、Ｅｔｈｅｒｎｅｔ（登録商標）などの各種Ｉ／Ｆを備えている。パーソナルコンピュータ３０１は、ＵＳＢケーブルなどにより外部Ｉ／Ｆ４０９を介してリビングキット３０４の外部Ｉ／Ｆ４５４と接続可能である。
【００３８】
音声Ｉ／Ｆ４１０は、スピーカ４１１と接続される。音声Ｉ／Ｆ４１０は、ＣＰＵ４０１の制御にしたがって、磁気ディスク４０５および光ディスク４０７に記録されている楽曲情報をスピーカ４１１に出力する。スピーカ４１１からは音声が出力される。
【００３９】
入力Ｉ／Ｆ４１２は、入力デバイス４１３と接続される。入力デバイス４１３は、文字、数値、各種指示などの入力のための複数のキーを備えたリモコン、キーボード、マウス、タッチパネルなどが挙げられる。
【００４０】
映像Ｉ／Ｆ４１４は、ディスプレイ４１５と接続される。映像Ｉ／Ｆ４１４は、具体的には、たとえば、ディスプレイ４１５全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１５を表示制御する制御ＩＣなどによって構成される。
【００４１】
ディスプレイ４１５には、アイコン、カーソル、メニュー、ウインドウ、あるいは文字や画像などの各種データが表示される。このディスプレイ４１５は、たとえば、ＣＲＴ、ＴＦＴ液晶ディスプレイ、プラズマディスプレイなどを採用することができる。また、ディスプレイ４１５は、車両に複数備えられていてもよく、たとえば、ドライバーに対するものと後部座席に着座する搭乗者に対するものなどである。
【００４２】
（リビングキット３０４のハードウェア構成）
また、図４において、リビングキット３０４は、サブＣＰＵ４５１と、電源回路４５２と、入力Ｉ／Ｆ４５３と、リモコン３０４ｄと、外部Ｉ／Ｆ４５４と、を備えている。
【００４３】
サブＣＰＵ４５１は、電源の管理をおこなったり、ブレインユニット３０２に対し識別情報を送信したりする。識別情報は、各装置に固有の情報である。電源回路４５２は、リビングキット３０４に設けられている各構成部に対して動作用の電源を供給する。また、電源回路４５２には、ブレインユニット３０２がリビングキット３０４に接続されている場合に、コネクタなどの接続手段を介してブレインユニット３０２に対しても動作用の電源を供給する。
【００４４】
ブレインユニット３０２は、コネクタなどの接続手段をリビングキット３０４の接続手段に結合させて互いに電気的に接続される。リビングキット３０４には、外部Ｉ／Ｆ４５４として、ＵＳＢ、ＩＥＥＥ１３９４、Ｅｔｈｅｒｎｅｔ（登録商標）などの各種Ｉ／Ｆを備えている。入力Ｉ／Ｆ４５３は、リモコン３０４ｄと接続される。リモコン３０４ｄは、リビングキット３０４の各種操作をおこなう。リモコン３０４ｄの操作情報は、入力Ｉ／Ｆ４５３を介してブレインユニット３０２のＣＰＵ４３１に出力される。また、リビングキット３０４の各種手段により得た情報は、コネクタなどの接続手段を介してブレインユニット３０２のＣＰＵ４３１に出力される。
【００４５】
（ブレインユニット３０２のハードウェア構成）
図４において、ブレインユニット３０２は、カードスロット３０２ａと、ＣＰＵ４３１と、ＲＯＭ４３２と、ＲＡＭ４３３と、磁気ディスクドライブ４３４と、磁気ディスク４３５と、ＤＳＰ４３６と、音声Ｉ／Ｆ４３７と、を備えている。また、各構成部３０２ａ、４３１〜４３７はバス４４０によってそれぞれ接続されている。
【００４６】
ＣＰＵ４３１は、ブレインユニット３０２およびナビゲーション装置３０３全体の制御を司る。ＲＯＭ４３２は、ブートプログラム、現在位置算出プログラム、経路探索プログラム、経路誘導プログラム、楽曲検索プログラム、楽曲転送プログラム、音声生成プログラム、地図情報表示プログラム、通信プログラム、データベース作成プログラム、データ解析プログラムなどのプログラムを記録している。また、ＲＡＭ４３３は、ＣＰＵ４３１のワークエリアとして使用される。
【００４７】
現在位置算出プログラムは、たとえば、ナビゲーション装置３０３のＧＰＳユニット５０４および各種センサ５０５の出力情報に基づいて、ナビゲーション装置を搭載している車両の現在位置を算出させる。
【００４８】
経路探索プログラムは、後述する磁気ディスク４３５に記録されている地図情報などを利用して、出発地点から目的地点までの最適な経路を探索させる。ここで、最適な経路とは、目的地点までの最短（あるいは最速）経路やユーザが指定した条件に最も合致する経路などである。また、目的地点のみならず、立ち寄り地点や休憩地点までの経路を探索してもよい。探索された誘導経路は、ＣＰＵ４３１を介してナビゲーション装置３０３の映像Ｉ／Ｆ５１１や音声Ｉ／Ｆ５１２へ出力される。
【００４９】
経路誘導プログラムは、経路探索プログラムを実行することによって探索された誘導経路情報、現在位置算出プログラムを実行することによって算出された車両の現在位置情報、磁気ディスク４３５から読み出された地図情報に基づいて、リアルタイムな経路誘導情報の生成をおこなわせる。生成された経路誘導情報は、ＣＰＵ４３１を介してナビゲーション装置３０３の映像Ｉ／Ｆ５１１や音声Ｉ／Ｆ５１２へ出力される。
【００５０】
楽曲検索プログラムは、楽曲データに含まれるＴＯＣ情報を利用して、ＴＯＣ（Ｔａｂｌｅ  Ｏｆ  Ｃｏｎｔｅｎｔｓ）情報に含まれていないアーティスト名、ジャンル、アルバムタイトルおよびトラックタイトルなどの情報をＣＤＤＢ（Ｃｏｍｐａｃｔ  Ｄｉｓｃ  Ｄａｔａ  Ｂａｓｅ）から検索してＴＯＣ情報と関連付けて磁気ディスク４３５に記録させる。ＴＯＣ情報は、音楽ＣＤの内周側のリードイン領域に書き込まれており、楽曲のトラック数、各トラックの開始アドレスおよび各トラックごとの演奏時間などのデータが含まれている。ＣＤＤＢは、磁気ディスク４３５に記録されており、音楽ＣＤに収録された楽曲データを検索・認識する際に用いられる。
【００５１】
楽曲転送プログラムは、磁気ディスク４３５に記録されている楽曲情報をリビングキット３０４を介してパーソナルコンピュータ３０１に転送させる。この際、楽曲転送プログラムは、各楽曲情報に固有の識別情報を各楽曲情報とあわせて転送させる。識別情報は、たとえば、ＴＯＣ、ＩＳＲＣ、またはＩＤ３タグなどに関する情報である。
【００５２】
また、ＣＰＵ４３１は、ブレインユニット３０２がリビングキット３０４に接続され、有線または無線によりリビングキット３０４と接続されたパーソナルコンピュータ３０１から楽曲情報を転送された場合、転送された楽曲情報の識別情報に基づいて、磁気ディスク４３５に記録されていない楽曲情報のみを磁気ディスク４３５に記録する。
【００５３】
また、ＣＰＵ４３１は、ブレインユニット３０２がナビゲーション装置３０３に接続され、ナビゲーション装置３０３の光ディスクドライブ５０７に挿入された光ディスク５０８に記録されている楽曲情報をブレインユニット３０２の磁気ディスク４３５に記録する場合、楽曲情報の識別情報に基づいて、光ディスク５０８に記録されている楽曲情報のうち磁気ディスク４３５に記録されていない楽曲情報のみを磁気ディスク４３５に記録する。
【００５４】
音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせる。生成された音声ガイダンス情報は、ＣＰＵ４３１を介して音声Ｉ／Ｆ４３７へ出力される。
【００５５】
地図情報表示プログラムは、ナビゲーション装置３０３の映像Ｉ／Ｆ５１１によってディスプレイ３０３ｂに表示する地図情報の表示形式を決定させ、決定された表示形式によって地図情報をディスプレイ３０３ｂに表示させる。
【００５６】
磁気ディスクドライブ４３４は、ＣＰＵ４３１の制御にしたがって磁気ディスク４３５に対するデータの読み取り／書き込みを制御する。磁気ディスク４３５は、磁気ディスクドライブ４３４の制御で書き込まれたデータを記録する。磁気ディスク４３５としては、たとえば、ＨＤ（ハードディスク）やＦＤ（フレキシブルディスク）を用いることができる。
【００５７】
磁気ディスク４３５に記録される情報の一例として、経路探索・経路誘導などに用いる地図情報が挙げられる。地図情報は、建物、河川、地表面などの地物（フィーチャ）をあらわす背景データと、道路の形状をあらわす道路形状データとを有しており、ディスプレイ３０３ｂの表示画面において２次元または３次元に描画される。
【００５８】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００５９】
また、交通条件データには、過去の渋滞情報を、季節・曜日・大型連休・時刻などを基準に統計処理した過去渋滞情報を記憶している。ブレインユニット３０２は、ナビゲーション装置３０３の通信Ｉ／Ｆ５０６によって受信される道路交通情報によって現在発生している渋滞の情報を得るが、過去渋滞情報により、指定した時刻における渋滞状況の予想をおこなうことが可能となる。
【００６０】
また、磁気ディスク４３５に記録される他の情報の一例として、楽曲に関する楽曲情報が挙げられる。楽曲情報には、音声データの他に楽曲のトラック数、各トラックの開始アドレスおよび各トラックごとの演奏時間などのＴＯＣ情報が含まれている。また、磁気ディスク４３５には、たとえば、トラックタイトル、アルバムタイトル、アーティスト名、ジャンルなどが楽曲情報と関連付けられて記録されている。なお、トラックタイトル、アルバムタイトル、アーティスト名、ジャンルなどの情報は、たとえば、楽曲検索プログラムによりＣＤＤＢから取得される。
【００６１】
なお、本実施例では地図情報や楽曲情報などを磁気ディスク４３５に記録するようにしたが、これに限るものではない。たとえば、地図情報や楽曲情報は、ブレインユニット３０２のハードウェアと一体に設けられているものに限って記録されているものではなく、ブレインユニット３０２の外部に設けられていてもよい。その場合、ブレインユニット３０２は、たとえば、ナビゲーション装置３０３の通信Ｉ／Ｆ５０６を通じて、ネットワークを介して地図情報や楽曲情報を取得する。取得された地図情報や楽曲情報はＲＡＭ４３３などに記録される。
【００６２】
音声Ｉ／Ｆ４３７は、ＤＳＰ４３６と接続されており、ＤＳＰ４３６を介して信号処理された情報を入出力する。
【００６３】
（ナビゲーション装置３０３のハードウェア構成）
図５において、ナビゲーション装置３０３は、サブＣＰＵ５０１と、電源回路５０２と、外部Ｉ／Ｆ５０３と、ＧＰＳユニット５０４と、各種センサ５０５と、通信Ｉ／Ｆ５０６と、光ディスクドライブ５０７と、光ディスク５０８と、入力Ｉ／Ｆ５０９と、入力デバイス５１０と、映像Ｉ／Ｆ５１１と、ディスプレイ３０３ｂと、音声Ｉ／Ｆ５１２と、スピーカ５１３と、マイク５１４と、を備えている。
【００６４】
ナビゲーション装置３０３は、コネクタなどの接続手段をブレインユニット３０２の接続手段に結合させて互いに電気的接続される。サブＣＰＵ５０１は、電源の管理をおこなったり、ブレインユニット３０２に対し識別情報を送信したりする。電源回路５０２は、ナビゲーション装置３０３に設けられている各構成部に対して動作用の電源を供給する。また、電源回路５０２は、ブレインユニット３０２がナビゲーション装置３０３に接続されている場合に、コネクタなどの接続手段を介してブレインユニット３０２に対しても動作用の電源を供給する。外部Ｉ／Ｆ５０３は、ＵＳＢ、ＩＥＥＥ１３９４、Ｅｔｈｅｒｎｅｔ（登録商標）などの各種Ｉ／Ｆを備えている。
【００６５】
ＧＰＳユニット５０４は、ＧＰＳ衛星からの電波を受信し、車両の現在位置を示す情報を出力する。ＧＰＳユニット５０４の出力情報は、後述する各種センサ５０５の出力値とともに、ブレインユニット３０２のＣＰＵ４３１による車両の現在位置の算出に際して利用される。現在位置を示す情報は、たとえば緯度・経度、高度などの、地図情報上の１点を特定する情報である。
【００６６】
各種センサ５０５は、車速センサや加速度センサ、角速度センサなどの、車両の位置や挙動を判断することが可能な情報を出力する。各種センサ５０５の出力値は、ブレインユニット３０２のＣＰＵ４３１による車両の現在位置の算出や、速度や方位の変化量の測定などに用いられる。
【００６７】
通信Ｉ／Ｆ５０６は、無線を介してネットワークに接続され、ナビゲーション装置３０３とブレインユニット３０２のＣＰＵ４３１とのインターフェースとして機能する。また、通信Ｉ／Ｆ５０６は、無線を介してインターネットなどの通信網に接続され、この通信網とブレインユニット３０２のＣＰＵ４３１とのインターフェースとしても機能する。
【００６８】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。また、通信Ｉ／Ｆ５０６は、楽曲情報を配信するサーバなどから楽曲情報を受信する。
【００６９】
光ディスクドライブ５０７は、ブレインユニット３０２のＣＰＵ４３１の制御にしたがって光ディスク５０８に対するデータの読み取り／書き込みを制御する。光ディスク５０８は、光ディスクドライブ５０７の制御にしたがってデータが読み出される着脱自在な記録媒体である。光ディスク５０８は、書き込み可能な記録媒体を利用することもできる。また、この着脱可能な記録媒体として、光ディスク５０８のほか、ＭＯ、メモリカードなどであってもよい。
【００７０】
入力Ｉ／Ｆ５０９は、入力デバイス５１０と接続される。入力デバイス５１０は、文字、数値、各種指示などの入力のための複数のキーを備えたリモコン、キーボード、マウス、タッチパネルなどが挙げられる。
【００７１】
映像Ｉ／Ｆ５１１は、ディスプレイ３０３ｂと接続される。映像Ｉ／Ｆ５１１は、具体的には、たとえば、ディスプレイ３０３ｂ全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３０３ｂを表示制御する制御ＩＣなどによって構成される。
【００７２】
ディスプレイ３０３ｂには、アイコン、カーソル、メニュー、ウインドウ、あるいは文字や画像などの各種データが表示される。このディスプレイ３０３ｂは、たとえば、ＣＲＴ、ＴＦＴ液晶ディスプレイ、プラズマディスプレイなどを採用することができる。また、ディスプレイ３０３ｂは、車両に複数備えられていてもよく、たとえば、ドライバーに対するものと後部座席に着座する搭乗者に対するものなどである。
【００７３】
音声Ｉ／Ｆ５１２は、スピーカ５１３とマイク５１４に接続される。マイク５１３に受音された音声は、音声Ｉ／Ｆ５１２内でＡ／Ｄ変換される。また、スピーカ５１３からは音声が出力される。なお、マイク５１４から入力された音声は、音声データとして光ディスク５０８あるいはブレインユニット３０２の磁気ディスク４３５に記録可能である。また、ナビゲーション装置３０３の音声Ｉ／Ｆ５１２は、ブレインユニット３０２の音声Ｉ／Ｆ４３７に接続され、ＣＰＵ４３１によって制御される。
【００７４】
なお、実施の形態にかかる情報転送装置１００の機能的構成のうち、受付部１０１と転送部１０２は、外部Ｉ／Ｆ４０９やＣＰＵ４０１によって、それぞれの機能を実現する。
【００７５】
（パーソナルコンピュータ３０１の処理の内容）
つぎに、図６を用いて、本実施例にかかるパーソナルコンピュータ３０１がリビングキット３０４を介してブレインユニット３０２に楽曲情報を転送する場合のパーソナルコンピュータ３０１の処理の内容について説明する。図６は、本実施例にかかるパーソナルコンピュータがリビングキットを介してブレインユニットに楽曲情報を転送する場合のパーソナルコンピュータの処理の内容を示すフローチャートである。図６のフローチャートにおいて、まず、パーソナルコンピュータ３０１のＣＰＵ４０１は、楽曲情報の転送要求を受け付けたか否かを判断する（ステップＳ６０１）。楽曲情報の転送要求は、たとえば、ユーザが有線または無線によりパーソナルコンピュータ３０１をリビングキット３０４と接続する。また、ユーザがブレインユニット３０２をリビングキット３０４に装着する。そして、ユーザがリビングキット３０４のリモコン３０４ｄまたはパーソナルコンピュータ３０１の入力デバイス４１３を操作して指示入力をおこなう。
【００７６】
ステップＳ６０１において、楽曲情報の転送要求を受け付けるまで待って（ステップＳ６０１：Ｎｏのループ）、受け付けた場合（ステップＳ６０１：Ｙｅｓ）、ＣＰＵ４０１は、転送する楽曲情報を選択する（ステップＳ６０２）。具体的には、パーソナルコンピュータ３０１の磁気ディスク４０５に記録されている楽曲情報のうちブレインユニット３０２の磁気ディスク４３５に転送する楽曲情報を選択する。楽曲情報の選択は、たとえば、ユーザが入力デバイス４１３を操作することによりおこなわれる。
【００７７】
また、ＣＰＵ４０１は、ステップＳ６０２において選択された楽曲情報の識別情報を取得する（ステップＳ６０３）。識別情報は、各楽曲情報に固有の情報であり、たとえば、ＴＯＣ、ＩＳＲＣ、またはＩＤ３タグなどに関する情報である。
【００７８】
そして、ＣＰＵ４０１は、ステップＳ６０２において選択された楽曲情報をリビングキット３０４を介してブレインユニット３０２に転送するための転送ボタンがクリックされたか否かを判断する（ステップＳ６０４）。転送ボタンは、ユーザが入力デバイス４１３を操作することによりクリックされる。
【００７９】
ステップＳ６０４において、転送ボタンがクリックされていない場合（ステップＳ６０４：Ｎｏ）、ＣＰＵ４０１は、ステップＳ６０２の処理に戻り、処理を繰り返す。一方、ステップＳ６０４において、転送ボタンがクリックされた場合（ステップＳ６０４：Ｙｅｓ）、ＣＰＵ４０１は、リビングキット３０４を介してブレインユニット３０２にステップＳ６０２において選択された楽曲情報を転送する（ステップＳ６０５）。この際、ＣＰＵ４０１は、ステップＳ６０３において取得した識別情報を楽曲情報とあわせてブレインユニット３０２に転送する。
【００８０】
（ブレインユニット３０２の処理の内容）
つぎに、図７を用いて、本実施例にかかるブレインユニット３０２の処理の内容について説明する。図７は、本実施例にかかるパーソナルコンピュータ３０１がリビングキット３０４を介してブレインユニット３０２に楽曲情報を転送する場合のブレインユニット３０２の処理の内容について説明する。図７は、本実施例にかかるパーソナルコンピュータがリビングキットを介してブレインユニットに楽曲情報を転送する場合のブレインユニットの処理の内容を示すフローチャートである。図７のフローチャートにおいて、まず、ブレインユニット３０２のＣＰＵ４３１は、動作の開始要求を受け付けたか否かを判断する（ステップＳ７０１）。動作の開始要求は、たとえば、ユーザがブレインユニット３０２をナビゲーション装置３０３またはリビングキット３０４に接続することにより、接続した機器から電源が供給されることによりおこなわれる。
【００８１】
ステップＳ７０１において、動作の開始要求を受け付けるまで待って（ステップＳ７０１：Ｎｏのループ）、受け付けた場合（ステップＳ７０１：Ｙｅｓ）、ブレインユニット３０２のＣＰＵ４３１は、ブレインユニット３０２と接続された接続機器の識別情報を取得する（ステップＳ７０２）。接続機器の識別情報は、各接続機器に固有の情報であり、各接続機器に対してあらかじめ定められている。
【００８２】
そして、ＣＰＵ４３１は、ステップＳ７０２において取得した接続機器の識別情報に基づいて、接続機器がナビゲーション装置であるか否かを判断する（ステップＳ７０３）。ステップＳ７０３において、接続機器がナビゲーション装置でない場合（ステップＳ７０３：Ｎｏ）、ＣＰＵ４３１は、接続機器がリビングキット３０４であると判断し、パーソナルコンピュータ３０１から楽曲情報が転送されたか否かを判断する（ステップＳ７０４）。ステップＳ７０４において、パーソナルコンピュータ３０１から楽曲情報が転送されるまで待って（ステップＳ７０４：Ｎｏのループ）、転送された場合（ステップＳ７０４：Ｙｅｓ）、ＣＰＵ４３１は、転送された楽曲情報の識別情報を照合する（ステップＳ７０７）。
【００８３】
また、ステップＳ７０３において、接続機器がナビゲーション装置である場合（ステップＳ７０３：Ｙｅｓ）、ＣＰＵ４３１は、楽曲情報を取得したか否かを判断する（ステップＳ７０５）。楽曲情報の取得は、たとえば、ＣＰＵ４３１が光ディスクドライブ５０７により音楽ＣＤなどの光ディスク５０８から楽曲情報を読み込むことによりおこなわれる。
【００８４】
ステップＳ７０５において、楽曲情報を取得するまで待って（ステップＳ７０５：Ｎｏのループ）、取得した場合（ステップＳ７０５：Ｙｅｓ）、ＣＰＵ４３１は、取得した楽曲情報の識別情報を取得する（ステップＳ７０６）。楽曲情報の識別情報は、各楽曲情報に固有であり、たとえば、ＴＯＣ、ＩＳＲＣ、またはＩＤ３タグなどに関する情報である。
【００８５】
また、ＣＰＵ４３１は、楽曲情報の識別情報を照合する（ステップＳ７０７）。具体的には、ＣＰＵ４３１が磁気ディスク４３５に記録されている楽曲情報の識別情報とステップＳ７０５において取得した楽曲情報の識別情報とを照合する。
【００８６】
そして、ＣＰＵ４３１は、ステップＳ７０７における照合の結果、ステップＳ７０４またはステップＳ７０５において取得した楽曲情報のうち、磁気ディスク４３５に記録されている楽曲情報の識別情報と同一の識別情報が存在するか否かを判断する（ステップＳ７０８）。ステップＳ７０８において、ステップＳ７０４またはステップＳ７０５において取得した楽曲情報のうち、磁気ディスク４３５に記録されている楽曲情報の識別情報と同一の識別情報が存在しない場合（ステップＳ７０８：Ｎｏ）、ＣＰＵ４３１は、ステップＳ７１０の処理に移行し、磁気ディスク４３５にステップＳ７０４またはステップＳ７０５において取得したすべての楽曲情報を記録する（ステップＳ７１０）。
【００８７】
また、ステップＳ７０８において、ステップＳ７０４またはステップＳ７０５において取得した楽曲情報のうち、磁気ディスク４３５に記録されている楽曲情報の識別情報と同一の識別情報が存在する場合（ステップＳ７０８：Ｙｅｓ）、ステップＳ７０４またはステップＳ７０５において取得した楽曲情報のうち、磁気ディスク４３５に記録されている楽曲情報の識別情報と同一の識別情報に対応する楽曲情報を削除し（ステップＳ７０９）、磁気ディスク４３５に記録されていない楽曲情報を記録する（ステップＳ７１０）。
【００８８】
そして、ＣＰＵ４３１は、動作の終了要求を受け付けたか否かを判断する（ステップＳ７１１）。動作の終了要求は、たとえば、ユーザがナビゲーション装置３０３とブレインユニット３０２との接続を切断し、ナビゲーション装置３０３からブレインユニット３０２に供給される電源が遮断されることによりおこなわれる。あるいは、動作の終了要求は、ユーザがリビングキット３０４とブレインユニット３０２との接続を切断し、リビングキット３０４からブレインユニット３０２に供給される電源が遮断されることによりおこなわれる。
【００８９】
ステップＳ７１１において、動作の終了要求を受け付けていない場合（ステップＳ７１１：Ｎｏ）、ＣＰＵ４３１は、ステップＳ７０５の処理に戻り、処理を繰り返す。一方、ステップＳ７１１において、動作の終了要求を受け付けた場合（ステップＳ７１１：Ｙｅｓ）、ＣＰＵ４３１は、一連の処理を終了する。
【００９０】
以上説明したように、本実施例によれば、楽曲情報の転送要求を受け付けた場合、パーソナルコンピュータは、ユーザにより選択された楽曲情報を識別情報とあわせてリビングキットを介してブレインユニットに転送する。したがって、ブレインユニットは、楽曲情報の識別情報に基づいて、転送された楽曲情報のうちブレインユニットの記録媒体に既に記録されている楽曲情報を削除して、記録媒体に記録されていない楽曲情報のみを記録することができる。
【００９１】
なお、本実施の形態で説明した情報転送方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９２】
【図１】本実施の形態にかかる情報転送装置の機能的構成の一例を示すブロック図である。
【図２】本実施の形態にかかる情報転送装置の処理の内容を示すフローチャートである。
【図３】本実施例にかかる情報転送システムの全体構成の概要を示す図である。
【図４】本実施例にかかるパーソナルコンピュータがブレインユニットを装着したリビングキットに接続された場合の情報転送システムの内部構成の一例を示すブロック図である。
【図５】本実施例にかかるブレインユニットがナビゲーション装置に装着された場合の情報転送システムの内部構成の一例を示すブロック図である。
【図６】本実施例にかかるパーソナルコンピュータがリビングキットを介してブレインユニットに楽曲情報を転送する場合のパーソナルコンピュータの処理の内容を示すフローチャートである。
【図７】本実施例にかかるパーソナルコンピュータがリビングキットを介してブレインユニットに楽曲情報を転送する場合のブレインユニットの処理の内容を示すフローチャートである。
【符号の説明】
【００９３】
１００  情報転送装置
１０１  受付部
１０２  転送部
【図１】
0004584176.tif 000002
【図２】
0004584176.tif 000003
【図３】
0004584176.tif 000004
【図４】
0004584176.tif 000005
【図５】
0004584176.tif 000006
【図６】
0004584176.tif 000007
【図７】
0004584176.tif 000008